(57)【要約】実質的平行六面体のスリーブ（２）、およびスリーブ（２）内の開口部（４）を介して摺動方向（Ｓ）においてスリーブ（２）へ挿入できかつスリーブ（２）から引き出せる挿入部（３）を有し、スリーブ（２）が摺動方向（Ｓ）と実質的平行の四つの長手壁（２ａ，２ｂ，２ｃ，２ｄ）を含む包装容器が提供される。包装容器は、スリーブが長手壁の第一長手壁（２ｃ）から第二長手壁（２ａ）へ延びた第一停止タブ（７ａ）を有し、前記タブが第一長手壁（２ｃ）および第二長手壁（２ａ）から少なくとも一部が分離し、挿入部（３）が第一係止縁（９ａ）有し、第一係止縁（９ａ）と第一停止タブ（７ａ）との接触によって、スリーブ（２）からの移動を阻止され、かつ第一係止縁（９ａ）が、使用者の操作による挿入部（３）の一部の弾性変形によって、移動して第一停止タブ（７ａ）を通過することを特徴とする。
2005528296.tif 000002
【特許請求の範囲】
【請求項１】
実質的平行六面体のスリーブ（２）、および前記スリーブ（２）内の開口部（４）を介して摺動方向（５）において前記スリーブ（２）へ挿入できかつ前記スリーブ（２）から引き出せる挿入部（３）を有し、前記スリーブ（２）が摺動方向（５）と実質的平行の四つの長手壁（２ａ，２ｂ，２ｃ，２ｄ）を含む包装容器において、
前記スリーブは前記長手壁の第一長手壁（２ｃ）から第二長手壁（２ａ）へ延びた第一停止タブ（７ａ）を有し、
前記第一停止タブは第一長手壁（２ｃ）および第二長手壁（２ａ）から少なくとも一部が分離し、
前記挿入部は第一係止縁（９ａ）を有し、第一係止縁（９ａ）と第一停止タブ（７ａ）との接触によって、前記スリーブからの移動を阻止され、かつ
第一係止縁（９ａ）は、使用者の操作による前記挿入部の一部の弾性変形によって、移動して第一停止タブ（７ａ）を通過、移動することを特徴とする、包装容器。
【請求項２】
前記スリーブの長手壁は上壁（２ａ）、下壁（２ｂ）、第一側壁（２ｃ）および第二側壁（２ｄ）を有し、前記挿入部は下部（３ａ）および第一側部（３ｂ）を有し、かつ前記挿入部の挿入状態において前記下部（３ａ）および第一側部（３ｂ）はそれぞれ前記スリーブの下壁（２ｂ）および第一側壁（２ｃ）に隣接しかつ実質的に平行であり、第一係止縁（９ａ）は第一側部上に形成され、第一停止タブ（７ａ）がその間に延びた第一長手壁および第二長手壁はそれぞれ第一側壁（２ｃ）および前記上壁（２ａ）であり、第一側壁（２ｃ）は使用者が操作するための第一孔（１０ａ）を有し、弾性変形が第一側部（３ｂ）の少なくとも一部で行なわれ、それにより第一側部（３ｂ）の少なくとも一部は第一側壁（２ｃ）から移することを特徴とする、請求項１の包装容器。
【請求項３】
前記スリーブ（３）は厚紙ブランク（３’）から形成され、第一側壁（２ｃ）は前記ブランクの二つの厚紙部（２ｃ’，２ｃ”）の少なくとも一部を含み、第一側壁（２ｃ）において、一方の厚紙部（２ｃ”）は他方の厚紙部（２ｃ’）の内側に位置し、第一孔（１０ａ）は内側の厚紙部（２ｃ”）内の内孔（１０ａ”）および外側の厚紙部（２ｃ’）内の外孔（１０ａ’）により形成され、かつ枢軸回転自在フラップ（１０１）が内側の厚紙部（２ｃ”）上に配置され、第一側壁（２ｃ）の平面において前記フラップ（１０１）は閉鎖位置にあって前記外孔（１０ａ’）の延長領域の外側へ少なくとも一部が延びていることを特徴とする、請求項２の包装容器。
【請求項４】
前記スリーブは、第二側壁（２ｄ）から上壁（２ａ）へ延びた第二停止タブ（７ｂ）を有し、第二停止タブ（７ｂ）は第二側壁（２ｄ）および上壁（２ａ）から少なくとも一部で分離し、第二係止縁が前記挿入部（３）の第二側部（３ｃ）に形成され、第二側部（３ｃ）は、前記挿入部の挿入状態において、前記スリーブの第二側壁（２ｄ）に隣接しかつ実質的平行に位置決めされ、前記挿入部は第二係止縁（９ｂ）と第二停止タブ（７ｂ）との接触によって前記スリーブからの移動を阻止され、第二係止縁（９ｂ）は第二停止タブ（７ｂ）を通過移動でき、前記移動は第二側壁（２ｄ）内の第二孔（１０ｂ）から第二側部（３ｃ）を操作することにより行なわれ、それにより第二側部（３ｃ）の少なくとも一部が第二側壁（２ｃ）から移動することを特徴とする、請求項２または３の包装容器。
【発明の詳細な説明】
【技術分野】
【０００１】
本発明は実質的平行六面体のスリーブ、および前記スリーブ内の開口部を介して摺動方向において前記スリーブへ挿入できかつ前記スリーブから引き出される挿入部を含み、前記スリーブが摺動方向に実質的平行の四つの長手壁を有する、包装容器（package）に関する。
【背景技術】
【０００２】
危険物を収容した包装容器、特に調製医薬用包装容器において、包装容器に接近した子供がその中身にアクセスするのを阻止することが望ましい。包装業界において、この問題を解決するために種々の解決策が提案されている。
【０００３】
ＥＰ１００２７４４Ａ１は外ケースおよび内摺動部を有する、子供用係止システムを装備した厚紙包装容器を記載している。内摺動部は、係止システムが解除ボタン上を押すことによって作動しない場合にはケースから引き出すことができない。係止システムは内摺動部がケースの内側上の肩部と接触するときにタブによって機能する。肩部は外層と内層を接着した厚紙によって形成され、切欠きを有する。この構成の欠点は、機能すべき係止システムが厚紙の内層の厚みによって充分な高さを有する肩部に依存することである。従って、係止機能は、ケース用の充分に厚みのある材料の選択に依存する。あまりに薄い材料は、係止保証を危険に落とす結果になる。更に、この構造は反復使用後に肩部が摩耗する危険があり、その機能は包装容器の数回の開放後に阻害される危険がある。
【０００４】
特許書類ＰＣＴ／ＳＥ０１／０２４９６は小さい子供が包装を開いてその中身にアクセスするのを防止するための係止装置を備えた包装容器を記載している。包装容器は挿入部を挿入できるスリーブを有する。挿入部は係止タブを有し、係止タブはスリーブの内側上に装備された停止タブとの接触により、挿入部のスリーブからの引き出しを阻止する。停止タブを挿入部の引き出し方向において係止タブの途中に位置決めするために、停止タブは突出部を有し、突出部をスリーブの壁面の一つへ付勢することによって、停止タブをその壁面に対して所定角度で位置決めし、それにより係止タブの通路へ突出させる。挿入部を引き出すには、使用者は係止タブを移動させ、引き出し方向における停止タブの領域の外側へ位置決めされるように係止タブを操作する必要がある。
【０００５】
ＰＣＴ／ＳＥ０１／０２４９６の解決策に伴う問題は、停止タブ上の突出部が包装容器の製造上困難であることである。厚紙ブランクから製造される通常のスリーブにおいて、突出部はそのブランクをパンチングおよびスタンピングすることにより製造され、深鉢状部に形成される。これはスリーブに接着する前に行なう必要がある。接着時に、接着面は自動製法で相互に押圧される。この関係で、パンチングにより突出部を製造するには、突出部が扁平にならないように特別の配慮が必要である。停止タブおよび接着面は厚紙ブランクの縁に形成される。これは、停止タブが接着面の直近に位置することを意味する。この関係で、接着加工時の押圧工程は更に困難になる。
【０００６】
ＰＣＴ／ＳＥ０１／０２４９６の包装容器は、挿入ブランクを折畳むことにより形成される係止タブを有する。スリーブにおける挿入部の挿入状態において、係止タブは包装容器の内側で、下壁から上壁へ実質的に延在する。係止タブは包装容器の停止側で操作タブにより操作され、その場合に係止タブは自由端を有する。
【０００７】
この解決策の問題は、包装容器が相当に背が高く、即ち、下壁と上壁間の距離が大きくなるように、設計される場合に、係止タブが長いことである。かかる場合、係止タブは大きなバクッル長を有するために、その強度が劣る。そのために、操作時に意図された方法で折畳まれる代わりに、係止タブはバックルにより変形してしまう。他の問題は、係止タブが相対的に嵩高いために、内容物に必要とされる以上に包装容器を大きく作成する必要があることである。
【０００８】
ＰＣＴ／ＳＥ０１／０２４９６による係止タブの設計に伴う他の問題は次の通りである。係止タブが包装容器の底からその壁面に対して所定角度で延在するように構成される。この角度は、係止タブの操作が包装容器の上側から行なわれるので必要であり、係止タブを操作するときに、係止タブが挿入部への取付部を中心に軸回転してその角度が変化するようにされる。包装容器が相対的に背の高いものとして設計される場合に、係止タブの角度は、同様に、包装容器が充分に幅広いものであることを必要とする。これは、包装容器の設計の可能性に制限を加える。この問題は、二つの係止タブがＰＣＴ／ＳＥ０１／０２４９６で提案されるように使用される場合に、更に顕著である。二つの係止タブは包装容器を横切る方向に並設され、かつ背の高い包装容器が製造されるときに、角度を付けた二つの長い係止タブに適合しかつそれらの移動スペースを充分に確保するために、幅広いことが要件となる。
【０００９】
【特許文献１】ＥＰ１００２７４４Ａ１
【特許文献２】ＰＣＴ／ＳＥ０１／０２４９６
【発明の開示】
【００１０】
［発明の概要］
本発明の一つの課題は、内容物への子供によるアクセスを阻止しかつ上述の問題を解消する包装容器を提供することにある。
【００１１】
本発明の他の課題は、内容物への子供によるアクセスを阻止しかつ既知技術に対して製法が単純化された包装容器を提供することにある。
【００１２】
本発明の他の課題は、内容物への子供によるアクセスを阻止しかつ既知技術に対して接着方法が単純化された包装容器を提供することにある。
【００１３】
本発明の他の課題は、内容物への子供によるアクセスを阻止する包装容器を提供し、その阻止機能が包装容器の反復的開放においても損なわれない包装容器を提供することにある。
【００１４】
本発明の他の課題は、内容物への子供によるアクセスを阻止しかつ子供によるアクセスを阻止する機能を損うことなく包装容器の設計の柔軟性を拡大する包装容器を提供することにある。
【００１５】
上記課題は、請求項の導入部に記載のタイプの包装容器であって、スリーブが前記長手壁の第一長手壁から第二長手壁へ延びた第一停止タブを有し、前記第一停止タブが第一長手壁および第二長手壁から少なくとも一部が分離し、挿入部が第一係止縁を有し、第一係止縁と第一停止タブとの接触によって、前記スリーブからの移動を阻止され、かつ第一係止縁が、使用者の操作による前記挿入部の一部の弾性変形によって、移動して第一停止タブを通過、移動することを特徴とする、包装容器によって達成される。
【００１６】
本発明による停止タブは、結果として、スリーブ壁から所定距離に停止タブを位置決めするために、停止タブ上に特定突出部を形成することなく、挿入部の摺動方向においてスリーブ壁内に停止タブを形成している。従って、突出部に対する要求は解消されるので、スリーブの製造は簡素化される。
【００１７】
更に、本発明の好適形態によれば、前記スリーブの長手壁は上壁、下壁、第一側壁および第二側壁を有し、前記挿入部は下部および第一側部を有し、かつ前記挿入部の挿入状態において前記下部および第一側部はそれぞれ前記スリーブの下壁および第一側壁に隣接しかつ実質的に平行であり、第一係止縁は第一側部上に形成され、第一停止タブがその間に延びた第一長手壁および第二長手壁はそれぞれ第一側壁および前記上壁であり、第一側壁は使用者が操作するための第一孔を有し、弾性変形が第一側部の少なくとも一部で行なわれ、それにより第一側部の少なくとも一部は第一側壁から移動することを特徴とする。
【００１８】
前記好適形態によって、前記挿入部上に位置決めされかつ係止機能をもたらす作用をする手段は、挿入部の側部上に設計され、それにより、特に側部が下部の主要部に沿って延在しかつその長手の主要部に沿ってそれへ連結される場合に強力構造が得られる。挿入部の挿入状態において、側部がスリーブの第一側壁に実質的平行に隣接して位置決めされることは、挿入部上に設置されて係止機能をもたらす作用をする手段が包装容器内に大きなスペースを必要としないことを意味する。
【００１９】
本発明の好適形態の他の利点は、挿入部上に形成されかつ係止機能をもたらす作用をする手段を伴い、挿入部の側部が包装容器の側壁に平行に配向されることであり、これは包装容器がそれ以上の次元の必要性に配慮することなく、背の高い側壁で構成できることを意味する。
【００２０】
本発明の好適形態において、前記スリーブは厚紙ブランク（cardboard blank）から形成され、第一側壁は前記ブランクの二つの厚紙部の少なくとも一部を含み、前記側壁において、一方の厚紙部は他方の厚紙部の内側に位置し、第一孔は内側の厚紙部内の内孔および外側の厚紙部内の外孔により形成され、かつ枢軸回転自在フラップが内側の厚紙部上に配置され、第一側壁の平面において前記フラップは閉鎖位置にあって前記外孔の延長領域の外側へ少なくとも一部が延びていることを特徴とする。
【００２１】
このことは、フラップが包装容器の外側から指の圧力によって内方へ軸回転し、挿入部の側部との接触により、側壁から離れる方向へ挿入部の側部を誘導することを意味する。本発明の好適形態による解決策は、更に、フラップが外孔よりも大きいので外方へ軸回転できないことを意味する。
【発明を実施するための最良の形態】
【００２２】
図１は本発明の好適実施形態による包装容器１を示す。包装容器１は実質的平行六面体のスリーブ２、および包装容器１の内容物を保持するための挿入部３を含む。スリーブ２および挿入部３は、厚紙材料により形成されるブランクを折畳みかつ接着することによって製造されることが好ましい（後述参照）。挿入部３は、図１において二重矢印により示された摺動方向においてスリーブ内の開口部４を通ってスリーブ２へ挿入されかつスリーブ２から引き出される。図１は挿入部３の完全な挿入状態における包装容器１を示す。図２は挿入部３の一部引き出した状態における包装容器１を示し、包装容器１の内容物への人によるアクセスが可能である。
【００２３】
スリーブ２は摺動方向Ｓに実質的平行の四つの長手壁を有する。長手壁は上壁２ａ、下壁２ｂ、第一側壁２ｃおよび第二側壁２ｄで構成され、上壁２ａおよび第一側壁２ｃは図１および２において観察可能である。
【００２４】
側壁２ｃ，２ｄは開口部４に各々把持切欠き５を有し、各切欠きは挿入部３を引き出すために指による把持を可能にする。包装容器１は、好適には挿入部３を大きな手の人のみが握ることのできるような幅で構成される。このことは、小さい子供が挿入部３を引き出すために親指と人差し指による把持によっては包装容器１の幅を掴むことができないこと意味する。
【００２５】
一端で、挿入部３は好適には梁状部（beam-like part）６を有し、梁状部６は挿入部３用ブランクを折畳むことによって形成される（後述参照）。梁状部６は、子供による挿入部３の端の変形が不可能または極めて困難であり、従って包装容器１の中身への到達を不可能または極めて困難にする強度を有する。
【００２６】
開口部で、スリーブ２は、好適には、上壁２ａおよび下壁２ｂに事実上平行に内方へそれぞれ折畳まれた二つのタブを有する（後述参照）。これは、開口部４の上下縁が強化されていて、包装容器１の中身へ到達するためにこれらの縁でスリーブ２を破断して開くことが子供にとって不可能または困難であることを意味する。
【００２７】
図３は厚紙から形成されたスリーブブランク２’を示し、このブランクは折畳みかつ接着することによってスリーブ２に形成される。図３に示されたように、スリーブブランク２’は二つのタブ２１，２２を有し、上述したように、二つのタブ２１，２２は、上壁２ａおよび下壁２ｂにそれぞれ実質的平行に内方へ折畳むことによってスリーブの開口部４を強化する。
【００２８】
スリーブブランク２’はスリーブの上壁２ａを形成するための第一部２ａ’、およびスリーブの下壁２ｂを形成するための第二部２ｂ’を含む。第三部２ｃ’および第四部２ｃ”はスリーブの第一側壁２ｃを形成することが意図され、かつ第四部２ｃ”は第三部２ｃ’の内側に位置決めされる。同様に、第五部２ｄ’および第六部２ｄ”はスリーブの第二側壁２ｄを形成することが意図されている。
【００２９】
第七部７ａ’および第八部７ｂ’は、それぞれ第一停止タブ７ａおよび第二停止タブ７ｂを形成し、これらはスリーブ２内に挿入部３を係止する作用をし、これについては更に詳細に後述する。図３に示されたように、停止タブを形成する第七部７ａ’および第八部７ｂ’は実質的三角形であり、三角形の尖端の一点は、第四部２ｃ”および第六部２ｄ”上の自由長手縁に位置する。第七部７ａ’および第八部７ｂ’は第四部２ｃ”および第六部２ｄ”のそれぞれの自由長手縁の外側に突出し、かつそれぞれの線７ａ”，ｂ”で折畳まれる。
【００３０】
選択的に、停止タブを形成する部分は三角形以外の他の形状、例えば、矩形であってもよい。
【００３１】
スリーブブランクを折畳むときに、第四部２ｃ”および第六部２ｄ”は、それぞれの自由長手縁がスリーブの上壁２ａと第一側壁２ｃと第二側壁２ｄとの間の連結部に位置するように折畳まれる。次に、第七部７ａ’および第八部７ｂ’は、それぞれスリーブの上壁２ａと第一側壁２ｃと第二側壁２ｄに対して所定角度で位置するように折畳まれて、それぞれ第一停止タブ７ａおよび第二停止タブ７ｂを形成する。従って、各停止タブはそれぞれ側壁に連結され、かつ上壁へ付勢することによって側壁に対して所定角度を形成する。
【００３２】
図４は破線で示された隠れた部分と共に折畳まれかつ接着されたスリーブを示す。第一停止タブ７ａおよび第二停止タブ７ｂは、上壁２ａ、そして第一側壁２ｃおよび第二側壁２ｄによりそれぞれ形成されたコーナにおいて、スリーブの内側に位置決めされる。第一停止タブ７ａおよび第二停止タブ７ｂは、同様に、スリーブの後壁２ｅから所定距離に位置する。
【００３３】
図５は、説明を簡単にするために、下から所定角度で透視したスリーブ２の切断部分を示す。第二停止タブ７ｂは第二側壁２ｄの内側から上壁２ａの内側へ向って延びている。第二停止タブ７ｂは、従って、少なくとも一部が摺動方向Ｓにおいて挿入部３の移動のためにその領域の一部に位置決めされるように、スリーブの上壁２ａおよび第二側壁２ｄに対して所定角度で延びている。更に詳細に後述するように、第二停止タブ７ｂは、スリーブ２から挿入部３が引き出されるのを阻止するために、挿入部３との接触によって作用する。第二停止タブ７ｂがスリーブ２の壁の内側にあって壁から分離していることが、反復使用後に摩耗を受けにくいと言う機能を確実にする。更に、第二停止タブ７ｂは、その目的に特に意図される突出部等の手段を必要とすることなく、スリーブ壁から分離する。
【００３４】
図５から理解されるように、第二停止タブ７ｂは、挿入部３の摺動方向Ｓに対して所定角度をつけているので、スリーブの開口部４に最も近い停止タブ部分はその停止タブの他の部分よりもスリーブ壁２ａ，２ｄにより近く位置決めされる。このことによって、挿入部３がスリーブへ挿入されるときに、挿入部３の係止部分は第二停止タブ７ｂとの接触により弾性変形することによって第二停止タブ７ｂを通過して「スナップ式」に係止する。これについては更に詳細に後述する。第二停止タブ７ｂのこのような設計は、また、第二停止タブ７ｂが非常に強力であり、かつ後述するように係止解除操作することなく引き出そうとする大きな力に耐えることを意味する。
【００３５】
図６は挿入部３を示し、かつ図７は折畳みかつ適当であれば接着することによって挿入部３を形成するブランク３’を示す。挿入部ブランクは上述の梁状部６を形成するための部分６’を有する。
【００３６】
挿入部３は下部３ａ、第一側部３ｂ、および第二側部３ｃを有する。挿入部３の挿入状態において、第一側部３ｂおよび第二側部３ｃは、スリーブ２の側壁２ｃ，２ｄに隣接して実質的平行に位置決めされる。第一側部３ｂおよび第二側部３ｃは、スリーブ２への挿入部が意図される摺動方向Ｓに、事実上、延在する。第一側部３ｂおよび第二側部３ｃは、下部３ａに連結され、かつそれに実質的直角に配向される。
【００３７】
各側部３ｂ，３ｃは、切欠き８ａ，８ｂを有する。この切欠きに、第一係止縁９ａおよび第二係止縁９ｂがそれぞれ形成される。挿入部３の挿入状態において、係止縁９ａ，９ｂは停止タブ７ａ，７ｂよりもスリーブの後壁２ｅに僅かに接近し、かつスリーブ２からの挿入部３の引き出しが試みられる場合に、その試みは係止縁９ａ，９ｂの領域において、側部３ｂ，３ｃのそれぞれ第一停止タブ７ａおよび第二停止タブ７ｂとの接触によって阻止される。
【００３８】
図３から理解されるように、スリーブブランク２’は第三部２ｃ’および第五部２ｄ’上の外孔１０ａ’，１０ｂ’と以下で称する孔１０ａ’，１０ｂ’、および第四部２ｃ”および第六部２ｄ”上の内孔１０ａ”，１０ｂ”と以下で称する孔１０ａ”，１０ｂ”を有する。内孔１０ａ”，１０ｂ”は、各々、フラップ１０１により被覆され、各フラップ１０１は、直線縁を中心に軸回転するように、それぞれの内孔の実質的直線縁でスリーブブランクに連結されている。
【００３９】
スリーブ３の完成状態において、第一側壁２ｃおよび第二側壁２ｄは第三部２ｃ’および第四部２ｃ”、ならびに第五部２ｄ’および第六部２ｄ”の一部をそれぞれ含む。この観点で、第三部２ｃ’および第五部２ｄ’は、それぞれ第四部２ｃ”および第六部２ｄ”の外側に位置する。フラップ１０１および外孔１０ａ’，１０ｂ’は、フラップ１０１がそれぞれの外孔１０ａ’，１０ｂ’の領域の外側に延在し、かつフラップ１０１が包装容器１内で内方へのみ軸回転するような寸法で構成される。そのようにして、包装容器１の外側へのフラップ１０１の移動が阻止され、かつそのようにして損傷が防止される。
【００４０】
図１、２および４から理解されるように、内孔１０ａ”，１０ｂ”および外孔１０ａ’，１０ｂ’は最終的に折畳んだスリーブ２において、第一側壁２ｃおよび第二側壁２ｄのそれぞれにおいて第一孔１０ａおよび第二孔１０ｂを形成する。包装容器１は、使用者が親指と人差し指による把持によって包装容器１を掴むことができるように構成される。使用者は、フラップ１０１を内方へ移動させるために第一孔１０ａおよび第二孔１０ｂの各々の上、かつ挿入部３の側部３ｂ，３ｃを押すためにスリーブ２の内側上を指で押すことができ、そのようにして少なくとも前記係止縁の領域においてそれらを弾性変形させ、スリーブ２内で内方へ傾斜させる。このことは図８から理解できる（ただし、図８には側部３ｃのみが示されている）。次に、係止縁９ａ，９ｂをスリーブの側壁２ｃ，２ｄから移動させて遠ざける。このようにして、係止縁９ａ，９ｂは、挿入部３の摺動方向Ｓにおいて、第一停止タブ７ａおよび第二停止タブ７ｂの領域外になり、かつ挿入部３は、使用者が反対の手で把持切欠き５を親指と人差し指で握ってスリーブから引き出すことことができる。
【００４１】
他の実施形態において、前記外孔はミシン目により側壁へ連結されたカバーによってそれぞれ被覆されてよい。可能であれば、カバーが完全または部分的に取り外されたときに、包装容器１が破壊またはその中身への人によるアクセスが試みられたことを理解できる。
【００４２】
他の実施形態において、包装容器１は挿入部３上に配置された係止部の操作のために前記孔にフラップを装備しない設計にされてよい。
【００４３】
包装容器１の幅は、子供等の小さいの手の人が係止縁９ａ，９ｂにより係止を操作するために親指と人差し指で包装容器１を掴むことのできないように構成される。従って、包装容器１の開放は、通常の大人の両手の寸法を有する二本の手による使用を必要とする。
【００４４】
挿入部３の長手側部における係止のための部分の設計は、結果として係止縁の背後の複数の材料により強力構造になり、そのようにして、例えば子供による、力で挿入部３を引き出す危険が低減される。ただし、他の例として、挿入部３の下部３ａまたは挿入部３の他の部分から折畳まれ、かつ停止タブ７ａ，７ｂとの接触により挿入部３のスリーブ２からの引き出しを阻止する、特定係止タブの使用が可能である。
【００４５】
各々が係止縁および停止タブを有する二つの係止装置を装備した包装容器１は上述のとおりである。選択的に、唯一の係止縁および一つの停止タブを備えた包装容器１が提供できる。
【００４６】
図９は本発明の他の形態による包装容器１のスリーブのためのスリーブブランク２’を示す。スリーブブランク２’はスリーブの上壁２ａを形成するための第一部２ａ’、およびスリーブの下壁２ｂを形成するための第二部２ｂ’を含む。第三部２ｃ’および第四部２ｃ”はスリーブの第一側壁２ｃを形成することが意図され、かつ第四部２ｃ”は第三部２ｃ’の内側に位置決めすることが意図されている。同様に、第五部２ｄ’および第六部２ｄ”はスリーブの第二側壁２ｄを形成することが意図されている。
【００４７】
第七部７ａ’および第八部７ｂ’は第一停止タブ７ａおよび第二停止タブ７ｂをそれぞれ形成することが意図され、これらはスリーブ２において挿入部３の係止を可能にする作用をし、これについては更に詳細に後述する。図３から理解されるように、停止タブを形成するための第一停止タブ７ａおよび第二停止タブ７ｂは実質的三角形であり、三角形の尖端の一つはそれぞれ線２３，２４上に位置し、その周りに第四部２ｃ”および第六部２ｄ”が折畳まれる。第七部７ａ’および第八部７ｂ’の各々において、スリーブブランク２’は貫通切欠き２５，２６を有する。第四部２ｃ”および第六部２ｄ”が折畳まれるときに、第七部７ａ’および第八部７ｂ’が線２７，２８を中心に反対方向に折畳まれ、そのようにしてスリーブ２が折畳まれ接着されるときに、それぞれの停止タブが形成され、停止タブは上壁と、対応する側壁との連結部に二つの平面を構成する。
【００４８】
図１０は、本発明の他の実施形態による完成スリーブ２の切断部分、および停止タブの一つのタブ７ｂを示す。図１１は使用者の指圧により如何にしてスリーブの側部３ｂ，３ｃを、少なくとも係止縁の領域において、弾性変形させてスリーブ２内で内方へ傾斜させるかを示す。その結果として、係止縁９ａ，９ｂはスリーブ２の側壁２ｃ，２ｄから離れる方向へ移動する。このようにして、係止縁９ａ，９ｂは、挿入部３の挿入方向Ｓにおいて、第一停止タブ７ａおよび第二停止タブ７ｂの延長領域の外側になり、かつ挿入部３は、使用者が他方の手により把持切欠き５で親指と人差し指により把持することによってスリーブ２から引き出される。
【００４９】
特定形態において、停止タブはスリーブ２の側壁から下壁へ向って延びている。スリーブ２へ挿入部３を係止するための挿入部３の部分は挿入部３の下部上に、例えば、スリーブ２の下壁に接近する挿入部３の自由縁上の係止縁の形態で構成される。
【図面の簡単な説明】
【００５０】
【図１】本発明の好適形態による包装容器の斜視図を示す。
【図２】図１の包装容器の他の斜視図を示す。
【図３】図１の包装容器の一部を形成するブランクを示す。
【図４】図３のブランクから形成された包装容器の一部の斜視図を示し、隠れた部分は破線で示されている。
【図５】図４の包装容器の一部の切断部分の斜視図を示す。
【図６】図１の包装容器の一部の斜視図を示す。
【図７】図６の包装容器の一部のブランクを示す。
【図８】図１および２の包装容器の一部の横断面図を示す。
【図９】本発明の他の形態による包装容器の一部を形成するブランクを示す。
【図１０】図９のブランクから形成した包装容器の一部の斜視図を示す。
【図１１】図９のブランクから形成した包装容器を含む包装容器の一部の横断面図を示す。
【図１】
2005528296.tif 000003
【図２】
2005528296.tif 000004
【図３】
2005528296.tif 000005
【図４】
2005528296.tif 000006
【図５】
2005528296.tif 000007
【図６】
2005528296.tif 000008
【図７】
2005528296.tif 000009
【図８】
2005528296.tif 000010
【図９】
2005528296.tif 000011
【図１０】
2005528296.tif 000012
【図１１】
2005528296.tif 000013
【手続補正書】
【提出日】平成16年6月23日(2004.6.23)
【手続補正１】
【補正対象書類名】特許請求の範囲
【補正対象項目名】全文
【補正方法】変更
【補正の内容】
【特許請求の範囲】
【請求項１】
実質的平行六面体のスリーブ（２）、および前記スリーブ（２）内の開口部（４）を介して摺動方向（５）において前記スリーブ（２）へ挿入できかつ前記スリーブ（２）から引き出せる挿入部（３）を有し、前記スリーブ（２）が摺動方向（５）と実質的平行の四つの長手壁（２ａ，２ｂ，２ｃ，２ｄ）を含む包装容器において、
前記スリーブは前記長手壁の第一長手壁（２ｃ）から第二長手壁（２ａ）へ延びた第一停止タブ（７ａ）を有し、
前記第一停止タブは、摺動方向（Ｓ）に対する垂直の断面において、第一長手壁（２ｃ）および第二長手壁（２ａ）から少なくとも一部が分離し、
前記挿入部は第一係止縁（９ａ）を有し、第一係止縁（９ａ）と第一停止タブ（７ａ）との接触によって、前記スリーブからの移動を阻止され、かつ
第一係止縁（９ａ）は、使用者の操作による前記挿入部の一部の弾性変形によって、移動して第一停止タブ（７ａ）を通過、移動できることを特徴とする、包装容器。
【請求項２】
前記スリーブの長手壁は上壁（２ａ）、下壁（２ｂ）、第一側壁（２ｃ）および第二側壁（２ｄ）を有し、前記挿入部は下部（３ａ）および第一側部（３ｂ）を有し、かつ前記挿入部の挿入状態において前記下部（３ａ）および第一側部（３ｂ）はそれぞれ前記スリーブの下壁（２ｂ）および第一側壁（２ｃ）に隣接しかつ実質的に平行であり、第一係止縁（９ａ）は第一側部上に形成され、第一停止タブ（７ａ）がその間に延びた第一長手壁および第二長手壁はそれぞれ第一側壁（２ｃ）および前記上壁（２ａ）であり、第一側壁（２ｃ）は使用者が操作するための第一孔（１０ａ）を有し、弾性変形が第一側部（３ｂ）の少なくとも一部で行なわれ、それにより第一側部（３ｂ）の少なくとも一部は第一側壁（２ｃ）から移動することを特徴とする、請求項１の包装容器。
【請求項３】
前記スリーブ（３）は厚紙ブランク（３’）から形成され、第一側壁（２ｃ）は前記ブランクの二つの厚紙部（２ｃ’，２ｃ”）の少なくとも一部を含み、第一側壁（２ｃ）において、一方の厚紙部（２ｃ”）は他方の厚紙部（２ｃ’）の内側に位置し、第一孔（１０ａ）は内側の厚紙部（２ｃ”）内の内孔（１０ａ”）および外側の厚紙部（２ｃ’）内の外孔（１０ａ’）により形成され、かつ枢軸回転自在フラップ（１０１）が内側の厚紙部（２ｃ”）上に配置され、第一側壁（２ｃ）の平面において前記フラップ（１０１）は閉鎖位置にあって前記外孔（１０ａ’）の延長領域の外側へ少なくとも一部が延びていることを特徴とする、請求項２の包装容器。
【請求項４】
前記スリーブは、第二側壁（２ｄ）から上壁（２ａ）へ延びた第二停止タブ（７ｂ）を有し、第二停止タブ（７ｂ）は第二側壁（２ｄ）および上壁（２ａ）から少なくとも一部で分離し、第二係止縁が前記挿入部（３）の第二側部（３ｃ）に形成され、第二側部（３ｃ）は、前記挿入部の挿入状態において、前記スリーブの第二側壁（２ｄ）に隣接しかつ実質的平行に位置決めされ、前記挿入部は第二係止縁（９ｂ）と第二停止タブ（７ｂ）との接触によって、前記スリーブからの移動を阻止され、第二係止縁（９ｂ）は第二停止タブ（７ｂ）を通過、移動でき、前記移動は、第二側壁（２ｄ）内の第二孔（１０ｂ）から第二側部（３ｃ）を操作することにより行なわれ、それにより第二側部（３ｃ）の少なくとも一部が第二側壁（２ｃ）から移動することを特徴とする、請求項２または３の包装容器。
【国際調査報告】
2005528296.tif 000014
2005528296.tif 000015
2005528296.tif 000016
2005528296.tif 000017